(57)【特許請求の範囲】
【請求項１】
上枠と、下枠と、戸先側竪枠と、戸尻側竪枠とからなるドア枠と、
両竪枠間に位置してドア枠に装着された方立と、
方立と戸尻側竪枠との間に形成された壁体と、
方立の見込面と、戸先側竪枠の前記方立の見込面に対向する見込面と、の間に形成された開口部の室外側を開閉する扉体と、
を有する玄関用引戸装置であって、
前記ドア枠を構成する各枠はそれぞれ、該方立及び該壁体を越えて室内側へ延出する延出部を有しており、
該延出部に対して、網戸枠と網戸本体とからなる網戸装置が取り付けられており、
該扉体と該網戸装置は、該方立及び該壁体を挟んで、前記扉体が室外側に、前記網戸装置が室内側に位置しており、
前記網戸枠は、網戸上枠、網戸下レール、網戸戸先側竪枠、網戸戸尻側竪枠とからなり、網戸上枠はドア上枠の延出部に、網戸下レールはドア下枠の延出部に、網戸戸先側竪枠はドア戸先側竪枠の延出部に、網戸戸尻側竪枠はドア戸尻側竪枠の延出部に、それぞれ取り付けられており、前記ドア下枠の上面は、扉体の移動経路の下方に位置する第１部位と、開口部の下方に位置する第２部位を有し、前記第２部位を室内側に延出することで前記ドア下枠の延出部が形成されており、前記ドア下枠の延出部の上面は前記第２部位の上面と略面一であり、前記第２部位の上面は前記第１部位の上面よりも高く、
前記網戸本体は、開口幅方向に伸縮可能な網体と、網戸戸先側竪枠に着脱可能な戸先側の可動框と、網戸戸尻側竪枠に装着された戸尻側の框と、からなり、開口幅方向に伸縮する折り畳み可能な網戸本体であり、前記網戸本体は、前記方立の前記見込面より開口部側に突出しない収納姿勢から、網体を引き出して前記可動框を前記網戸戸先側縦枠に固定することで開口部を閉鎖するものであり、
前記ドア戸先側竪枠の延出部には、前記戸先側竪枠の前記見込面に対して凹んだ凹部が形成されており、前記網戸戸先側竪枠は、前記戸先側竪枠の前記見込面よりも開口部側に突出しないように前記凹部に装着されている、
網戸一体型玄関用引戸装置。
【請求項２】
前記ドア下枠は、下枠本体とドア下枠の延出部とから組立て可能に構成されており、
前記ドア下枠の延出部には、網戸下レールが予め装着されており、
前記下枠本体の室内側部位にはドア枠の位置調整手段が装着されており、ドア枠の位置調整を行った後で、前記下枠本体に対して前記ドア下枠の延出部を組み付けるようになっている、請求項１に記載の網戸一体型玄関用引戸装置。
【発明の詳細な説明】
【技術分野】
【０００１】
本発明は、引戸装置に係り、詳しくは、網戸一体型玄関用引戸装置に関するものである。
【背景技術】
【０００２】
玄関用引戸装置として、袖壁を備えた片引きの引戸装置があり、このような引戸装置は、特許文献１に記載されている。具体的には、図６及び図７に示すように、ドア枠は、上枠ａと平行に設けられた下枠ｂ、上枠ａと下枠ｂの両端間及び中間部の間を連結する前縦枠ｃ、後縦枠ｄ及び中間縦枠ｅとで構成される。前縦枠ｃと後縦枠ｄの間が引戸Dの開閉移行路となっており、中間縦枠ｅは引戸Dの開閉移行路の外側に位置している。中間縦枠ｅと前縦枠ｃの間が出入り口開口となっており、中間縦枠ｅと後縦枠ｄとの間は、壁板ｆで塞がれている。図６は開口部閉鎖状態を示し、この状態から引戸Dを後縦枠ｄに向かって移動させることで開口部が開放され、開口幅Ｗから引戸Dの引き残し寸法を減じた幅が有効開口幅となる。
【０００３】
このような引戸装置の開口部に網戸装置を取り付けたい場合がある。網戸装置は、ドア枠を利用して取り付ける必要があることから、図６、図７に示す引戸装置の枠体を利用して網戸装置を取り付ける場合には、中間縦枠ｅと前縦枠ｃの間の出入り口開口に取り付けることになる。
【０００４】
しかしながら、出入り口開口に網戸装置を取り付けた場合には、その分だけ開口幅Ｗが狭くなってしまい（結果として有効開口幅も狭くなる）、通常の出入りが不便となることのみならず、車椅子や台車等の出入りに支障を来たすおそれがある。また、このような出入り口開口に設置できる網戸装置は、折り畳み式やロール式網戸装置であって、このような網戸装置の戸尻側が中間縦枠ｅに近接して設けられることになる。したがって、引戸Dを開放した場合に、引戸Dの引き残し部位にある引戸Dの取手が、収納姿勢にある折り畳まれた網体や巻装された網体の収納部に当たってしまうか、あるいは、これらに隠れてしまって操作性が悪くなる。これを回避しようとすると、引き残し寸法を大きくする必要があり、さらに、有効開口幅が狭くなってしまう。
【０００５】
さらに、網戸装置の下レールを両面テープや接着剤等を用いて出入り口開口下方の床面ｇに取り付ける必要があり、下レールｈの取り付け精度にバラツキが出るおそれがある。
【０００６】
仮に、出入り口開口の室内側に網戸装置を設置するとしても、網戸装置を取り付けるための枠体を別途形成する必要があり、装置が大がかりとなってコストアップを招くと同時に、開口部に対する引戸装置の納まりによっては、そのような枠体を別途形成すること自体ができない場合もある。また、網戸装置の下レールｈを両面テープや接着剤等を用いて床面ｇに取り付ける必要がある（図８参照）ことは、上述の場合と同様である。
【特許文献１】実開平６−７８５９３号
【発明の開示】
【発明が解決しようとする課題】
【０００７】
本発明は、引戸の有効開口幅を狭めることがないような網戸一体型玄関用引戸装置を提供することを目的とするものである。本発明の他の目的は、取付精度が良く、施工性が良好な網戸一体型玄関用引戸装置を提供することにある。
【課題を解決するための手段】
【０００８】
本発明が採用した技術手段は、
上枠と、下枠と、戸先側竪枠と、戸尻側竪枠とからなるドア枠と、
両竪枠間に位置してドア枠に装着された方立と、
方立と戸尻側竪枠との間に形成された壁体と、
方立の見込面と、戸先側竪枠の前記方立の見込面に対向する見込面と、の間に形成された開口部の室外側を開閉する扉体と、
を有する玄関用引戸装置であって、
前記ドア枠を構成する各枠はそれぞれ、該方立及び該壁体を越えて室内側へ延出する延出部を有しており、
該延出部に対して、網戸枠と網戸本体とからなる網戸装置が取り付けられており、
該扉体と該網戸装置は、該方立及び該壁体を挟んで、前記扉体が室外側に、前記網戸装置が室内側に位置しており、
前記網戸枠は、網戸上枠、網戸下レール、網戸戸先側竪枠、網戸戸尻側竪枠とからなり、網戸上枠はドア上枠の延出部に、網戸下レールはドア下枠の延出部に、網戸戸先側竪枠はドア戸先側竪枠の延出部に、網戸戸尻側竪枠はドア戸尻側竪枠の延出部に、それぞれ取り付けられており、前記ドア下枠の上面は、扉体の移動経路の下方に位置する第１部位と、開口部の下方に位置する第２部位を有し、前記第２部位を室内側に延出することで前記ドア下枠の延出部が形成されており、前記ドア下枠の延出部の上面は前記第２部位の上面と略面一であり、前記第２部位の上面は前記第１部位の上面よりも高く、
前記網戸本体は、開口幅方向に伸縮可能な網体と、網戸戸先側竪枠に着脱可能な戸先側の可動框と、網戸戸尻側竪枠に装着された戸尻側の框と、からなり、開口幅方向に伸縮する折り畳み可能な網戸本体であり、前記網戸本体は、前記方立の前記見込面より突出しない収納姿勢から、網体を引き出して前記可動框を前記網戸戸先側縦枠に固定することで開口部を閉鎖するものであり、
前記ドア戸先側竪枠の延出部には、前記戸先側竪枠の前記見込面に対して凹んだ凹部が形成されており、前記網戸戸先側竪枠は、前記戸先側竪枠の前記見込面よりも突出しないように前記凹部に装着されている、
網戸一体型玄関用引戸装置、である。
【００１１】
１つの好ましい態様では、下枠本体と延出部とから組立て可能に構成されている。特に、下枠本体の網戸装置が装着される側の部位に、ドア枠の位置調整手段（例えば、位置調整ボルト）が装着されている場合において、ドア枠の位置調整を行った後で、下枠本体に対して延出部を組み付けることができる。さらに、１つの態様では、下枠本体と延出部材とは、下枠の長さ方向（開口幅方向）に間隔を存して配設した複数の取付部材を介して組立てられ、これら取付部材の間のスペースに、ドア枠の位置調整手段（例えば、位置調整ボルト）が配置される。後述する実施形態では、複数の独立した構成要素から構成された下枠を示すが、下枠は本体と延出部とから一体的に形成されたものでもよい。
【発明の効果】
【００１２】
本発明は、引戸装置のドア枠に、方立及び壁体を越えて延出する延出部を形成し、かかる延出部に網戸装置を取り付けるようにした網戸一体型の引戸装置なので、引戸装置の開口部の有効開口幅を狭めることのない網戸装置を備えた引戸装置を提供することができる。
【００１３】
前記戸先側竪枠の延出部に凹部を形成し、網戸の戸先側竪枠を該凹部に装着したものでは、網戸の戸先側竪枠の開口部への突出を防止することができる。
【００１４】
ドア下枠の延出部に予め網戸下レールを装着することができるので、現場で床面上に網戸下レールを取り付ける作業が不要であり、取付精度にバラツキが出ることもない。
【発明を実施するための最良の形態】
【００１５】
本発明の実施形態を図面に基づいて説明する。図１は、本発明に係る網戸一体型引戸装置を室外側から見た正面図、図２は、本発明に係る網戸一体型引戸装置を室内側から見た正面図である。引戸装置は、開口幅方向にスライド移動自在の扉体１と、上枠２、下枠３、左右の竪枠４，５から形成されるドア枠と、から構成されている。ドア枠の幅方向略中間部位には、左右の竪枠４，５間に位置して、中間竪枠を形成する方立６が立設されている。方立６と竪枠５との間には、ガラス板から構成された袖パネル７が固定されており、袖パネル７が袖壁を構成している。竪枠４の見込面と方立６の見込面６０との間が開口部となっており、扉体１は、当該開口部の室外側に位置して、開口幅方向にスライド移動することで、当該開口部を開閉するようになっている。竪枠４と方立６とで形成される開口部の室内側に位置して網戸装置８が設置されている。
【００１６】
方立６は、開口部に面する見込面６０と、室内側面部６１、室外側面部６２、とを備えている。方立６の見込面６０と反対側の面部には凹部６３が形成されており、袖パネル７の端部を受け入れることで、方立６は、袖パネル７の竪框を構成している。袖パネル７は、方立６、戸尻側竪枠５の凹部との間に袖パネル７の端部を受け入れる竪部材７１、上框７０、下框７２及び押縁７３、を介してドア枠に装着されている。図示の実施態様では、扉体１は、方立６の室外側に位置しており、開口部閉鎖状態において、扉体１の戸尻側框が、方立６の室外側面部６２と近接対向している。網戸装置８は、方立６の室内側に位置している。すなわち、網戸装置８は、方立６及び袖パネル７に対して、扉体１とは反対側に位置している。
【００１７】
引戸装置について説明する。上枠２内には、上枠２の長さ方向に沿って、開口幅方向に延出するハンガーレール９が架設されている。扉体１の上端部には、ハンガーローラ１０が取り付けてあり、扉体１は、ハンガーローラ１０を介してハンガーレール９に対してスライド移動可能に吊持されている。一方、下枠３の上面には、竪枠４と方立６との間に形成される開口部よりも竪枠５側に位置してガイドローラ１１が設けてあり、凹溝状に形成された扉体１の下端部がガイドローラ１１に案内されることで、扉体１の移動時における扉体１の下端部位の振れを防止している。吊持式の引戸装置を図示したが、引戸装置は、下枠に形成したレール上を扉体がスライド移動するように構成したものでもよい。
【００１８】
網戸装置について説明する。網戸装置８は、網戸本体８０と、上枠８１、戸先側縦枠８２、戸尻側縦枠８３と、網戸本体８０の下端を案内する網戸下レール８４とからなる網戸枠体と、から構成されている。網戸本体８０は開口幅方向に伸縮可能な網体から構成され、網戸本体８０の戸尻側の框は戸尻側縦枠８３に装着されており、戸先側には可動框が設けてある。図では収納姿勢にある網戸本体８０が示してあり、収納姿勢から、可動框を、戸先側縦枠８２に向って移動させて、網体を引き出し、可動框を、戸先側縦枠８２に着脱可能に固定することで、網体によって開口部が閉鎖される。
【００１９】
本発明におけるドア枠２，３，４，５は、図３、図４に示すように、方立６及び袖パネル７よりも室内側に延出する延出部２１１，３１，４１１，５１１を有しており、網戸装置８は、ドア枠２，３，４，５の延出部２１１，３１，４１１，５１１に取り付けられている。以下に、ドア枠の構成について詳述する。
【００２０】
上枠２は、扉体１の移動経路の上方に位置して開口幅方向に延出する断面視略コ字状で下方が開口状の本体２０と、本体２０の下端部位から室内側に向かって延出する水平部２１と、から構成されている。本体２０には、ハンガーレール９が内装されており、本体２０の下方の開口は、扉体１の上端部を受け入れている。水平部２１は、袖パネル７及び方立６並びに方立６と竪枠４との間に形成される開口部の上側に位置する部位２１０と、さらに、袖パネル７を越えて室内側に延出する延出部２１１とから一体形成されている。部位２１０の下面は、袖パネル７の上端面に近接対向しており、当該下面には、断面視凹状の上框７０が設けてあり、上框７０に袖パネル７の上端部位が固定されている。延出部２１１の下面には、網戸装置８の上枠８１が装着されている。
【００２１】
竪枠４は、扉体１の戸先側の竪枠であり、本体４０と、本体４０の開口部に面する見込面４００を室内側に延出して形成された室内側面部４１とから一体形成されている。本体４０の見込面４００には凹部４０１が形成されており、凹部４０１が扉体１の戸先側の戸当たり部４０１を形成している。室内側面部４１は、方立６に対向する部位４１０と、部位４１０よりさらに方立６の室内側面部６１を越えて室内側に延出する延出部４１１とから一体形成されている。部位４１０の室内側端部に段部を形成することで、延出部４１１は、部位４１０に対して凹部となっている。凹部は、部位４１０に対して開口幅方向（戸尻側竪枠５から離間する方向に）に凹んでいる。凹状の延出部４１１には、網戸装置８の戸先側竪枠８２が装着されている。網戸装置８の戸先側竪枠８２は、部位４１０（開口部を形成する戸先側竪枠４の見込面）よりも突出しないようになっている。このように、網戸装置８の戸先側竪枠８２を、凹状の延出部４１１に装着したので、網戸装置８が引戸装置の有効開口幅を狭めてしまうことがない。
【００２２】
竪枠５は、扉体１の戸尻側の竪枠であり、本体５０と、本体５０の見込面５００を、段差を設けて室内側に延出して形成された室内側面部５１とから一体形成されている。本体５０の見込面５００には、扉体１の戸尻側の戸当たり部５０１が設けられている。室内側面部５１は、袖パネル７の一方の端部が固定される部位５１０と、部位５１０よりさらに方立６の室内側面部６１を越えて室内側に延出する延出部５１１とから一体形成されている。本体５０の見込面５００の室内側端部には段部が形成されており、当該段部と部位５１０に形成した竪部材７１とで形成される凹部に、袖パネル７の一方の端部が固定されている。延出部５１１には、網戸装置８の戸尻側竪枠８３が装着されている。
【００２３】
下枠３は、引戸装置の沓摺を構成する本体３０と、本体３０の室内側に延出した延出部３１とから構成されている。本体３０の上面は、扉体１の移動経路の下方に位置する部位３００と、袖パネル７及び方立６並びに方立６と竪枠４との間に形成される開口部の下方に位置する部位３０１を有し、部位３０１には袖パネル７の下框７２が取り付けられている。下枠の延出部３１は、部位３０１よりも室内側に延出しており、その上面には、網戸装置８の網戸下レール８４が装着されている。本体３０の上面と延出部３１の上面とは略面一となっている。
【００２４】
図示の実施形態では、下枠３は、引戸用沓摺である本体３０と延出部３１と、から組み立て可能に構成されている。本体３０の部位３０１の室内側部位は、室内側側面３０１Ａと、室内側側面３０１Ａの上端部位から室内側に水平状に延出する部位３０１Ｂと、を有している。室内側側面３０１Ａには、下枠３の長さ方向（開口幅方向）に間隔を存して複数の調整ボルト１２が装着されており、調整ボルト１２は、床面下方の基礎コンクリート１３に固定した断面視Ｌ形状の支持片の立上がり部１４に支持されている。ボルト１２に外嵌されたナット１５を回転させて調整ボルト１２を前後方向（開口幅方向に直交する方向）に移動させることで、ドア枠体の垂直姿勢を保持し、あるいは、ドア枠体の捻りを修正する。
【００２５】
本体３０と延出部３１とは、複数の取付部材３２を介して組み立てられる。取付部材３２は、部位３０１Ｂに対して、下枠の長さ方向（開口幅方向）に間隔を存して複数設けてある。取付部材３２は、調整ボルト１２によるドア枠の位置調整作業を妨げることがないように取り付けられている。すなわち、取付部材３２は、各取付部材３２間に調整ボルト１２が位置するようにして、部位３０１Ｂに取り付けられる。取付部材３２は、水平状に延出する固定片３２０と、固定片３２０の室内側に位置して立ち上がり状に一体形成された突状の被装着部３２１とからなり、被装着部３２１は、前後の垂直片（室外側により近い側の垂直片と、室外側からより遠い側の垂直片）と上片とからなる。取付部材３２は、固定片３２０を介して、例えば溶接によって、部位３０１Ｂの下面に固定されており、部位３０１Ｂの室内側端面と室外側寄りの垂直片との間には、溝１６が形成されている。
【００２６】
延出部３１は、前後の垂直片３１０，３１１（室外側により近い側の垂直片３１０と、室外側からより遠い側の垂直片３１１）と上片３１２とからなり、上片３１２の上面には、予め、下レール８４が固着されている。延出部３１は、下方側が開口状となっており、延出部３１は、取付部材３２の被装着部３２０に上から装着される。すなわち、延出部３１の上片３１２が被装着部３２１の上片に当接し、垂直片３１０が溝１６に挿入され、垂直片３１１が被装着部３２１の室外側からより遠い側の垂直片に当接した状態で、室外側からより遠い側の片同士を螺子１７で固着することで、本体３０と延出部３１とは一体化される。
【００２７】
ドア枠体に対する網戸枠体の装着について説明する。網戸枠体の上枠８１、竪枠８２，８３は、螺子１８を用いて、ドア枠体の上枠２、竪枠４，５にそれぞれ固定される。ドア枠体には予めタップ加工により雌螺子が形成されており、網戸枠体側には、長孔が形成されている。したがって、現場において新たに螺子孔を形成する必要がなく、また、前記長孔の遊びの範囲内で取付位置を微調整しながら網戸枠体をドア枠体に装着することができ、施工性が良い。また、網戸下レール８４は予め下枠３を構成する延出部３１に取り付けられているので、現場において網戸下レール８４を床面に取り付ける作業が不要となり、下レールの取付精度にバラツキが生じることがない。
【産業上の利用可能性】
【００２８】
本発明は、玄関引戸に利用することができる。
【図面の簡単な説明】
【００２９】
【図１】本発明に係る網戸一体型引戸装置を室外側から見た正面図である。
【図２】本発明に係る網戸一体型引戸装置を室内側から見た正面図である。
【図３】本発明に係る網戸一体型引戸装置の横断面図である。
【図４】本発明に係る網戸一体型引戸装置の縦断面図である。
【図５】ドア下枠の構成を示す詳細図である。
【図６】従来の袖壁付き引戸の横断面図である。
【図７】従来の袖壁付き引戸の縦断面図である。
【図８】床面上に装着された網戸下レールを示す図である。
【符号の説明】
【００３０】
１  扉体
２  上枠
２１１  延出部
３  下枠
３１  延出部
４  戸先側竪枠
４１１  延出部
５  戸尻側竪枠
５１１  延出部
６  方立
７  袖パネル
８  網戸装置
８１  網戸上枠
８２  網戸戸先側竪枠
８３  網戸戸尻側竪枠
８４  網戸下レール
【図１】
0004833638.tif 000002
【図２】
0004833638.tif 000003
【図３】
0004833638.tif 000004
【図４】
0004833638.tif 000005
【図５】
0004833638.tif 000006
【図６】
0004833638.tif 000007
【図７】
0004833638.tif 000008
【図８】
0004833638.tif 000009